(57)【要約】  【課題】  照明条件の変化に応じた適切な色パラメータ値を用いて色再現性のよい色補正を行うことができ、適切な色パラメータ値を求めるために必要とされるデータ量を大幅に減らすことのできるカメラ装置を提供する。  【解決手段】  カメラ装置１は、補色フィルタを有する撮像部２と、撮像部２から得られた映像信号に基づいて色温度の推定を行う色温度推定部８と、推定された色温度に対応する色パラメータ値を算出する色パラメータ算出部９と、算出された色パラメータ値を用いて色補正を行う色補正部７を備える。色パラメータ算出部９は、二つの基準となる色温度（第１色温度２０００Ｋと第２色温度３２００Ｋ）における色パラメータの値（第１色パラメータ値と第２色パラメータ値）に基づいて、推定された色温度に対応する色パラメータ値を算出する。【選択図】  図１
2010273232.tif 000002
【特許請求の範囲】
【請求項１】
撮像部と、
前記撮像部から得られた映像信号に基づいて色温度の推定を行う色温度推定部と、
二つの基準となる色温度である第１色温度と第２色温度における色パラメータの値である第１色パラメータ値と第２色パラメータ値に基づいて、前記推定された色温度に対応する色パラメータ値を算出する色パラメータ算出部と、
前記算出された色パラメータ値を用いて色補正を行う色補正部と、
を備えたことを特徴とするカメラ装置。
【請求項２】
前記色補正に用いる色パラメータ値を、標準の色温度に対応する色パラメータ値から前記算出された色パラメータ値へと徐々に変化させる色パラメータ制御部を備えたことを特徴とする請求項１に記載のカメラ装置。
【請求項３】
前記撮像部で撮影された画像において動きのある被写体を検出する動き検出部と、
前記動きのある被写体が検出されたときには、前記色補正に用いる色パラメータ値を、標準の色温度に対応する色パラメータ値から前記算出された色パラメータ値へ変化させるのを抑制する第２の色パラメータ制御部と、
を備えたことを特徴とする請求項１または請求項２に記載のカメラ装置。
【請求項４】
前記推定された色温度と現在時刻との関連度に基づいて、前記算出された色パラメータ値を前記色補正に用いるか否かを判定する判定部を備えたことを特徴とする請求項１ないし請求項３のいずれかに記載のカメラ装置。
【請求項５】
撮像部を備えたカメラ装置で用いられる色補正方法であって、
前記撮像部から得られた映像信号に基づいて色温度の推定を行うことと、
二つの基準となる色温度である第１色温度と第２色温度における色パラメータの値である第１色パラメータ値と第２色パラメータ値に基づいて、前記推定された色温度に対応する色パラメータ値を算出することと、
前記算出された色パラメータ値を用いて色補正を行うことと、
を含むことを特徴とする色補正方法。
【発明の詳細な説明】
【技術分野】
【０００１】
本発明は、カメラ装置で用いられる色補正の技術に関するものである。
【背景技術】
【０００２】
従来、監視カメラなどのカメラ装置では、カメラの感度を上げるために補色ＣＣＤ（補色フィルタを有する撮像素子）が用いられている。この従来のカメラ装置では、補色ＣＣＤの分光感度に応じて色パラメータが設定されており、その色パラメータを用いて色補正（キャリブレーション）が行われている（例えば、特許文献１参照）。そして通常、この色パラメータの値は、いわゆる標準光源（例えば色温度３２００Ｋ）の照明条件にあわせて設定されている。
【先行技術文献】
【特許文献】
【０００３】
【特許文献１】特開２００８−１０４０４６号公報
【発明の概要】
【発明が解決しようとする課題】
【０００４】
しかしながら、従来のカメラ装置では、色パラメータの値が標準光源（例えば色温度３２００Ｋのハロゲン光）の照明条件にあわせて設定されているので、照明条件が変化した場合には、色位相ずれが発生してしまい、適切な色補正が行われないという問題があった。例えば、光源の色温度が極端に低い場合（特に、トンネル内の照明などの近赤外光に近い照明条件下の場合）には、本来は白っぽい色であるにもかかわらず、適切な色補正が行われずにオレンジがかった色になってしまうという問題があった。
【０００５】
そこで、３次元色空間（輝度１次元、色差２次元の色空間）のなかで色パラメータの値を任意に指定する技術を使って、色パラメータのずれを校正することも考えれられる。しかし、色パラメータの数は、原色と補色（例えば「Ｒ」「Ｇ」「Ｂ」の３原色と「Ｃｙ」「Ｍｇ」「Ｙｅ」の３つの補色）を基本として無数に存在し、しかも、ひとつひとつの色パラメータについて色温度ごとに補正量も異なる。したがって、すべての色パラメータについての色温度ごとの校正量のテーブルデータは、そのデータ量が非常に膨大になってしまい、とても実用的であるとは言いがたい。
【０００６】
本発明は、上記従来の問題を解決するためになされたもので、照明条件の変化に応じた適切な色パラメータ値を用いて色再現性のよい色補正を行うことができ、しかも、適切な色パラメータ値を求めるために必要とされるデータ量を大幅に減らすことのできるカメラ装置を提供することを目的とする。
【課題を解決するための手段】
【０００７】
本発明のカメラ装置は、撮像部と、前記撮像部から得られた映像信号に基づいて色温度の推定を行う色温度推定部と、二つの基準となる色温度である第１色温度と第２色温度における色パラメータの値である第１色パラメータ値と第２色パラメータ値に基づいて、前記推定された色温度に対応する色パラメータ値を算出する色パラメータ算出部と、前記算出された色パラメータ値を用いて色補正を行う色補正部と、を備えた構成を有している。
【０００８】
この構成により、二つの基準となる色温度（第１色温度と第２色温度）における色パラメータの値（第１色パラメータ値と第２色パラメータ値）のデータさえ持っていれば、映像信号から推定された色温度に対応する色パラメータ値を算出することができる。この第１色パラメータ値と第２色パラメータ値のデータ量は、従来の色パラメータ校正に必要なデータ量に比べて格段に少ない。これにより、照明条件の変化に応じた適切な色パラメータ値を用いて色再現性のよい色補正を行うことができ、しかも、適切な色パラメータ値を求めるために必要とされるデータ量を大幅に減らすことができる。
【０００９】
また、本発明のカメラ装置は、前記色補正に用いる色パラメータ値を、標準の色温度に対応する色パラメータ値から前記算出された色パラメータ値へと徐々に変化させる色パラメータ制御部を備えた構成を有している。
【００１０】
この構成により、照明条件の変化に応じて算出された色パラメータ値を用いて色補正をするときには、標準の色温度に対応する色パラメータ値から徐々に変化させるように色パラメータ値が制御される。これにより、照明条件が変化したときに急激な色補正が行われることが防止され、自然な感じで徐々に色補正（適切な色パラメータ値を用いた色補正）が行われるようになる。
【００１１】
また、本発明のカメラ装置は、前記撮像部で撮影された画像において動きのある被写体を検出する動き検出部と、前記動きのある被写体が検出されたときに、標準の色温度に対応する色パラメータ値から前記算出された色パラメータ値へ変化させるのを抑制する第２の色パラメータ制御部と、を備えた構成を有している。
【００１２】
この構成により、撮影された画像中に動きのある被写体が含まれている場合には、色温度を誤って推定するおそれがあるが、そのような場合には、標準の色温度に対応する色パラメータ値を用いて色補正を行うように色パラメータ値が制御される。これにより、誤推定された色温度に基づいて算出された色パラメータ値（適切でない色パラメータ値）を用いて色補正が行われるのを防止することができる。
【００１３】
また、本発明のカメラ装置は、前記推定された色温度と現在時刻との関連度に基づいて、前記算出された色パラメータ値を前記色補正に用いるか否かを判定する判定部を備えた構成を有している。
【００１４】
この構成により、映像信号から推定された色温度と現在時刻との関連度が低い場合には、色温度を誤って推定するおそれがあるが、そのような場合には、算出された色パラメータ値を色補正に用いない（つまり、標準の色温度に対応する色パラメータ値を用いて色補正を行う）と判定される。これにより、誤推定された色温度に基づいて算出された色パラメータ値（適切でない色パラメータ値）を用いて色補正が行われるのを防止することができる。
【００１５】
本発明の色補正方法は、撮像部を備えたカメラ装置で用いられる色補正方法であって、前記撮像部から得られた映像信号に基づいて色温度の推定を行うことと、二つの基準となる色温度である第１色温度と第２色温度における色パラメータの値である第１色パラメータ値と第２色パラメータ値に基づいて、前記推定された色温度に対応する色パラメータ値を算出することと、前記算出された色パラメータ値を用いて色補正を行うことと、を含んでいる。
【００１６】
この方法によっても、上記と同様に、二つの基準となる色温度（第１色温度と第２色温度）における色パラメータの値（第１色パラメータ値と第２色パラメータ値）のデータさえ持っていれば、映像信号から推定された色温度に対応する色パラメータ値を算出することができる。したがって、照明条件の変化に応じた適切な色パラメータ値を用いて色再現性のよい色補正を行うことができ、しかも、適切な色パラメータ値を求めるために必要とされるデータ量を大幅に減らすことができる。
【発明の効果】
【００１７】
本発明は、二つの基準の色温度における色パラメータの値に基づいて、色補正に用いる色パラメータ値を算出する色パラメータ算出部を設けることにより、照明条件の変化に応じた適切な色パラメータ値を用いて色再現性のよい色補正を行うことができ、しかも、適切な色パラメータ値を求めるために必要とされるデータ量を大幅に減らすことができるという効果を有するカメラ装置を提供することができるものである。
【図面の簡単な説明】
【００１８】
【図１】本発明の実施の形態におけるカメラ装置の構成を示すブロック図
【図２】色パラメータ算出部における処理（色変換率の算出処理）の説明図
【図３】本発明の実施の形態における基本的な色補正処理の流れを示すフロー図
【図４】動き検出を行うときの色補正処理の流れを示すフロー図
【図５】色温度と現在時刻との関連度の判定を行うときの色補正処理の流れを示すフロー図
【発明を実施するための形態】
【００１９】
以下、本発明の実施の形態のカメラ装置について、図面を用いて説明する。本実施の形態では、監視カメラ等に用いられるカメラ装置の場合を例示する。
【００２０】
本発明の実施の形態のカメラ装置の構成を、図面を参照して説明する。図１は、本実施の形態のカメラ装置の構成を示すブロック図である。図１に示すように、カメラ装置１は、補色ＣＣＤ（補色フィルタを有する撮像素子）を備える撮像部２と、ＤＳＰなどで構成される映像処理部３と、映像処理部３の動作を制御するためのマイコン４を備えている。
【００２１】
映像処理部３は、撮像部２で撮影された画像に含まれる白色の領域（白領域）を検出する白検出部５と、撮像部２で撮影された画像に含まれる動きのある被写体を検出する動き検出部６と、算出された色パラメータ値（後述する）を用いて色補正を行う色補正部７を備えている。
【００２２】
一方、マイコン４は、白検出部５で検出された白領域の映像信号に基づいて色温度の推定を行なう色温度推定部８と、推定された色温度に対応する色パラメータ値を算出する色パラメータ算出部９と、色補正に用いる色パラメータ値を制御する色パラメータ制御部１０を備えている。
【００２３】
また、マイコン４は、現在時刻情報を取得することができるクロック部１１と、推定された色温度と現在時刻との関連度に基づいて、色パラメータ算出部９で算出された色パラメータ値を色補正に用いるか否かを判定する判定部１２を備えている。
【００２４】
色パラメータ算出部９は、二つの基準となる色温度（第１色温度と第２色温度）における色パラメータの値（第１色パラメータ値と第２色パラメータ値）に基づいて、推定された色温度に対応する色パラメータ値を算出する機能を有している。第１色温度は、例えば２０００Ｋであり、第２色温度は、例えば３２００Ｋである。
【００２５】
ここで、色パラメータ算出部９の機能について、図２を参照しながら詳しく説明する。図２は、色パラメータ算出部９における処理（色変換率の算出処理）の説明図である。図２には、色変換率を利用して「Ｒ」と「Ｂ」の色パラメータ値を算出する場合が例示されている。
【００２６】
まず、「Ｂ」の色パラメータ値を算出する処理について説明すると、図２に示すように、色パラメータ算出部９は、事前に測定された二つの基準の色温度（２０００Ｋと３２００Ｋ）における「Ｂ」の色パラメータの値（白丸印で図示）を、二つの基準の色変換率（０％と１００％）として保持している。色変換率は、二つの色温度（２０００Ｋと３２００Ｋ）における「Ｂ」の色パラメータの値を基準として、一方の色温度（２０００Ｋ）の値から他方の色温度（３２００Ｋ）の値へどの程度の割合（％）で変化させた値を、推定された色温度に対応する色パラメータ値として算出するかを示すものである。
【００２７】
例えば、色変換率が０％のときには、色温度２０００Ｋにおける「Ｂ」の色パラメータの値が、推定された色温度に対応する色パラメータ値として算出される。この場合には、色温度２０００Ｋの値から色温度３２００Ｋへの値へまったく変化していない（つまり、色変換率が０％である）といえる。
【００２８】
また、色変換率が１００％のときには、色温度３２００Ｋにおける「Ｂ」の色パラメータの値が、推定された色温度に対応する色パラメータ値として算出される。この場合には、色温度２０００Ｋの値から色温度３２００Ｋへの値へ完全に変化している（つまり、色変換率が１００％である）といえる。
【００２９】
そして、色パラメータ算出部９は、このような色変換率の曲線を用いて、推定された色温度に対応する色パラメータ値を算出する。例えば、推定された色温度が３０００Ｋであったとする。その場合には、図２に示すように、色変換率の曲線から「Ｂ」の色変換率が「８０％」であることがわかり、色温度２０００Ｋの値から色温度３２００Ｋへの値へ「８０％」変化させた値が、推定された色温度（３０００Ｋ）に対応する「Ｂ」の色パラメータ値として算出される。
【００３０】
なお、ここでは、説明を省略するが、「Ｒ」などの他の色についても同様に、推定された色温度（例えば、３０００Ｋ）に対応する色パラメータ値が算出される。例えば、「Ｒ」については、図２に示すように、色温度３２００Ｋの値から色温度２０００Ｋへの値へ「１０％」変化させた値が、推定された色温度（３０００Ｋ）に対応する「Ｒ」の色パラメータ値として算出される。
【００３１】
なお、ここでは、二つの基準の色温度（２０００Ｋと３２００Ｋ）における色パラメータの値を基準として、一方の色温度（２０００Ｋ）の値から他方の色温度（３２００Ｋ）の値への変化の割合（色変換率）を「曲線」で近似した例について説明したが、本発明の範囲はこれに限定されるものではなく、例えば、色変換率を「直線」で近似してもよい。また、二つの基準の色温度は、２０００Ｋと３２００Ｋに限られるものではない。
【００３２】
つぎに、色パラメータ制御部１０の機能について説明する。色パラメータ制御部１０は、色補正に用いる色パラメータ値を、標準の色温度に対応する色パラメータ値（単に「標準値」ともいう）から、色パラメータ算出部９で算出された色パラメータ値（単に「算出値」ともいう）になるように、徐々に（例えば、５秒間かけてゆっくりと）変化させる機能を有している。標準の色温度は、例えば３２００Ｋである。
【００３３】
また、色パラメータ制御部１０は、動き検出部６によって動きのある被写体が検出された場合に、色補正に用いる色パラメータ値を、標準値から算出値へ変化させるのを抑制する機能を備えている。したがって、この色パラメータ制御部１０は、本発明の第２の色パラメータ制御部１０を兼ねているともいえる。なお、この標準値から算出値への変化を抑制する処理には、標準値から算出値への変化を防止する（まったく変化させない）処理と、標準値から算出値への変化量を低く抑える（少しだけ変化させる）処理が含まれる。
【００３４】
つづいて、判定部１２の機能について説明する。判定部１２は、推定された色温度と現在時刻との関連度が低いときには、色パラメータ算出部９で算出された色パラメータ値を色補正に用いないと判定する。例えば、推定された色温度が低い場合（例えば、オレンジ色の照明条件下の場合）に、現在時刻が「朝」や「昼」の時間帯であるときには、両者の関連度が低いと判定される。そして、この判定部１２によって色温度と現在時刻との関連度が低いと判定された場合には、色パラメータ制御部１０は、上記と同様に、色補正に用いる色パラメータ値を、標準値から算出値へ変化させるのを抑制する。
【００３５】
以上のように構成されたカメラ装置１について、図面を参照してその動作を説明する。ここでは、本発明の特徴である色補正処理の流れを中心に説明する。
【００３６】
図３は、本発明の実施の形態における基本的な色補正処理の流れを示すフロー図である。図３に示すように、基本的な色補正処理では、撮像部２で画像の撮影が行われた後に（Ｓ１）、白検出部５でその画像内の白領域が検出され（Ｓ２）、色温度推定部８において白領域から色温度を推定する処理が行われる（Ｓ３）。そして、色パラメータ算出部９では、推定された色温度から、上述のように色変換率を用いて色パラメータ値が算出される（Ｓ４）。そして、パラメータ制御部では、色補正に用いる色パラメータ値を標準値から算出値へ徐々に変化させる制御が行われ（Ｓ５）、色補正部７では、この色パラメータ値を用いて色補正処理が行われる（Ｓ６）。
【００３７】
図４は、動き検出を行うときの色補正処理の流れを示すフロー図である。図４に示すように、この場合には、撮像部２で画像の撮影が行われた後に（Ｓ１）、動き検出部６において画像中に動きのある被写体が含まれているか否かの検出が行われる（Ｓ７）。そして、画像中に動きのある被写体が検出された場合には、パラメータ制御部で、色補正に用いる色パラメータ値を標準値から算出値へ変化させるのを抑制する制御が行われ（Ｓ８）、色補正部７で、この色パラメータ値を用いて色補正処理が行われる（Ｓ９）。なお、画像中に動きのある被写体が検出されなかった場合には、基本的な色補正処理と同様の処理（Ｓ２〜Ｓ６）が行われる。
【００３８】
図５は、色温度と現在時刻との関連度の判定を行うときの色補正処理の流れを示すフロー図である。図５に示すように、この場合には、まず、基本的な色補正処理と同様、撮像部２で画像の撮影が行われた後に（Ｓ１）、白検出部５でその画像内の白領域が検出され（Ｓ２）、色温度推定部８において白領域から色温度を推定する処理が行われる（Ｓ３）。そして、判定部１２において、この推定された色温度と現在時刻と関連があるか否か（関連度が高いか否か）の判定が行われる（Ｓ１０）。色温度と現在時刻の関連度が低いと判定された場合には、パラメータ制御部で、色補正に用いる色パラメータ値を標準値から算出値へ変化させるのを抑制する制御が行われ（Ｓ１１）、色補正部７で、この色パラメータ値を用いて色補正処理が行われる（Ｓ１２）。なお、色温度と現在時刻の関連度が高いと判定された場合には、基本的な色補正処理と同様の処理（Ｓ４〜Ｓ６）が行われる。
【００３９】
このような本発明の実施の形態のカメラ装置１によれば、二つの基準の色温度（２０００Ｋと３２００Ｋ）における色パラメータの値に基づいて、色補正に用いる色パラメータ値を算出する色パラメータ算出部９を設けることにより、照明条件の変化に応じた適切な色パラメータ値を用いて色再現性のよい色補正を行うことができ、しかも、適切な色パラメータ値を求めるために必要とされるデータ量を大幅に減らすことができる。
【００４０】
すなわち、本実施の形態では、二つの基準となる色温度（第１色温度２０００Ｋと第２色温度３２００Ｋ）における色パラメータの値（第１色パラメータ値と第２色パラメータ値）のデータさえ持っていれば、映像信号から推定された色温度に対応する色パラメータ値を算出することができる。この第１色パラメータ値と第２色パラメータ値のデータ量は、従来の色パラメータ校正に必要なデータ量に比べて格段に少ない。これにより、照明条件の変化に応じた適切な色パラメータ値を用いて色再現性のよい色補正を行うことができ、しかも、適切な色パラメータ値を求めるために必要とされるデータ量を大幅に減らすことができる。
【００４１】
また、本実施の形態では、照明条件の変化に応じて算出された色パラメータ値を用いて色補正をするときには、標準の色温度に対応する色パラメータ値から徐々に（例えば約５秒かけてゆっくり）変化させるように色パラメータ値が制御される。これにより、照明条件が変化したときに急激な色補正が行われることが防止され、自然な感じで徐々に色補正（適切な色パラメータ値を用いた色補正）が行われるようになる。
【００４２】
また、本実施の形態では、撮影された画像中に動きのある被写体が含まれている場合には、色温度を誤って推定するおそれがあるが、そのような場合には、標準の色温度に対応する色パラメータ値を用いて色補正を行うように色パラメータ値が制御される。これにより、誤推定された色温度に基づいて算出された色パラメータ値（適切でない色パラメータ値）を用いて色補正が行われるのを防止することができる。
【００４３】
例えば、画面中のホワイトボードの前を人物が通過している間などは、白領域を誤検出するおそれがあり、その結果、色温度を誤って推定するおそれがある。したがって、このような場合には、標準の色温度に対応する色パラメータ値を用いて色補正を行うように色パラメータ値が制御される。これにより、色温度を推定する際の精度を向上することができる。
【００４４】
また、本実施の形態では、映像信号から推定された色温度と現在時刻との関連度が低い場合には、色温度を誤って推定するおそれがあるが、そのような場合には、算出された色パラメータ値を色補正に用いない（つまり、標準の色温度に対応する色パラメータ値を用いて色補正を行う）と判定される。これにより、誤推定された色温度に基づいて算出された色パラメータ値（適切でない色パラメータ値）を用いて色補正が行われるのを防止することができる。
【００４５】
例えば、推定された色温度が「オレンジ色」である場合、現在時刻が「朝」や「昼」であれば両者の関連度は低いと判定され、一方、現在時刻が「夕方」であれば両者の関連度は高いと判定される。これにより、色温度を推定する際の精度を向上することができる。
【００４６】
以上、本発明の実施の形態を例示により説明したが、本発明の範囲はこれらに限定されるものではなく、請求項に記載された範囲内において目的に応じて変更・変形することが可能である。
【産業上の利用可能性】
【００４７】
以上のように、本発明にかかるカメラ装置は、照明条件の変化に応じた適切な色パラメータ値を用いて色再現性のよい色補正を行うことができ、適切な色パラメータ値を求めるために必要とされるデータ量を大幅に減らすことができるという効果を有し、監視カメラ等として用いられ、有用である。
【符号の説明】
【００４８】
１  カメラ装置
２  撮像部
３  映像処理部
４  マイコン
５  白検出部
６  動き検出部
７  色補正部
８  色温度推定部
９  色パラメータ算出部
１０  色パラメータ制御部
１１  クロック部
１２  判定部
【図１】
2010273232.tif 000003
【図２】
2010273232.tif 000004
【図３】
2010273232.tif 000005
【図４】
2010273232.tif 000006
【図５】
2010273232.tif 000007